【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
供給される制御電圧に応じて周波数が変化するクロック発生回路と、前記クロック発生回路からの比較クロック信号と外部からの入力信号との比較結果に基づく位相差信号を生成する位相比較部と、前記位相差信号を平滑化するループフィルタとを備え、
前記クロック発生回路は、
少なくとも、圧電振動子と、発振用差動増幅器および帰還バッファ用差動増幅器と、前記制御電圧に基づいて所定量の位相をシフトする電圧制御移相回路とにより正帰還発振ループを構成し、
前記帰還バッファ用差動増幅器からの出力信号を前記比較クロック信号とする
ことを特徴とするクロック整形回路。
【請求項２】
供給される制御電圧に応じて周波数が変化するクロック発生回路と、前記クロック発生回路からの比較クロック信号と外部からの入力信号との比較結果に基づく位相差信号を生成する位相比較部と、前記位相差信号を平滑化するループフィルタとを備え、
前記クロック発生回路は、少なくとも前記の圧電振動子、電圧制御移相回路および発振用増幅器とにより正帰還発振ループが構成され、
さらに、複数の出力用増幅器を備え、
前記発振用増幅器からの出力信号を前記複数の出力用増幅器を介して分岐された出力信号のいずれかを前記比較クロック信号とすることを特徴とするクロック整形回路。
【請求項３】
前記クロック発生回路において、
前記帰還バッファ用差動増幅器が備える非反転出力端子および反転出力端子のうち、いずれか一方は前記比較クロック信号を出力する機能として、他方は前記正帰還発振ループ用出力として機能することを特徴とする請求項１記載のクロック整形回路。
【請求項４】
前記発振用差動増幅器および前記帰還バッファ用差動増幅器はＥＣＬラインレシーバを用いた差動増幅回路であることを特徴とする請求項１に記載のクロック整形回路。
【請求項５】
前記位相比較部は、少なくとも  外部からの前記入力信号を分周する第１の分周手段と、
前記比較クロック信号を分周する第２の分周手段と、
を備えることを特徴とする請求項１または請求項２に記載のクロック整形回路。
【請求項６】
前記圧電振動子はＳＡＷ共振子であることを特徴とする請求項１乃至請求項５のいずれかに記載のクロック整形回路。
【請求項７】
前記圧電振動子は水晶振動子であることを特徴とする請求項１乃至請求項５のいずれかに記載のクロック整形回路。
【請求項８】
入力クロック信号と比較クロック信号との位相を比較し、その比較結果に応じた信号を出力する位相比較部と、
前記入力クロック信号に対応する所定周波数の予備クロック信号を発生する水晶発振回路と、
この水晶発振回路が発生する予備クロック信号と前記比較クロック信号との位相を比較し、その比較結果に応じた信号を出力する予備位相比較部と、
前記入力クロック信号と前記比較クロック信号に基づき、その位相のロック外れを検出するロック外れ検出回路と、
このロック外れ検出回路の検出に応じて、前記位相比較部および予備位相比較部の出力信号のうちのいずれか一方を選択して出力するセレクタと、
このセレクタで選択された出力信号を平滑化処理するループフィルタと、
前記比較クロック信号を発生するとともに、前記ループフィルタの出力信号に応じてその比較クロック信号の周波数を可変できるクロック発生回路と、
を備えたことを特徴とするクロック整形回路。
【請求項９】
前記水晶発振回路は、温度補償付きの水晶発振回路からなることを特徴とする請求項８に記載のクロック整形回路。
【請求項１０】
前記予備位相比較部は、前記クロック発生回路が発生する比較クロック信号を分周する分周回路を含み、さらに前記水晶発振回路が発生する所定の予備クロック信号と前記分周回路の出力信号との位相を比較し、その比較結果に応じた信号を出力することを特徴とする請求項８または請求項９に記載のクロック整形回路。
【請求項１１】
前記クロック発生回路は、電圧制御型ＳＡＷ発振回路からなることを特徴とする請求項８、請求項９、または請求項１０に記載のクロック整形回路。
【請求項１２】
前記クロック発生回路は、電圧制御型水晶発振回路からなることを特徴とする請求項８、請求項９、または請求項１０に記載のクロック整形回路。
【請求項１３】
入力クロック信号と比較クロック信号との位相を比較し、その比較結果に応じた信号を出力する位相比較部と、
前記入力クロック信号に相当する所定周波数の予備クロック信号を発生する水晶発振回路と、
この水晶発振回路が発生する予備クロック信号と前記比較クロック信号との位相を比較し、その比較結果に応じた信号を出力する予備位相比較部と、
前記位相比較部の出力信号を平滑化処理する第１のループフィルタと、
前記予備位相比較部の出力信号を平滑化処理する第２のループフィルタと、
前記入力クロック信号と前記比較クロック信号に基づき、その位相のロック外れを検出するロック外れ検出回路と、
このロック外れ検出回路の検出に応じて、前記第１および第２のループフィルタの出力信号のうちのいずれか一方を選択して出力するセレクタと、
前記比較クロック信号を発生するとともに、前記セレクタで選択された出力信号に応じてその比較クロック信号の周波数を可変できるクロック発生回路と、
を備えたことを特徴とするクロック整形回路。
【請求項１４】
前記水晶発振回路は、温度補償付きの水晶発振回路からなることを特徴とする請求項１３に記載のクロック整形回路。
【請求項１５】
前記予備位相比較部は、前記クロック発生回路が発生する比較クロック信号を分周回路で分周した出力信号と、前記水晶発振回路が発生した所定の予備クロック信号との位相を比較し、その比較結果に応じた信号を出力することを特徴とする請求項１３または請求項１4に記載のクロック整形回路。
【請求項１６】
前記クロック発生回路は、電圧制御型ＳＡＷ発振回路からなることを特徴とする請求項１３請求項１４または請求項１５記載のクロック整形回路。
【請求項１７】
前記クロック発生回路は、電圧制御型水晶発振回路からなることを特徴とする請求項１３、請求項１４、または請求項１５に記載のクロック整形回路。
【請求項１８】
前記位相比較部は、位相比較回路の出力を位相比較部に入力する信号の位相差に対応する直流電圧に変換する第１のチャージポンプを有し、
前記予備位相比較部は、位相比較回路の出力を位相比較部に入力する信号の位相差に対応する直流電圧に変換する第２のチャージポンプを有することを特徴とする請求項１３乃至請求項１７のいずれかに記載のクロック整形回路。
【請求項１９】
前記第１のチャージポンプと前記第１のループフィルタとを第１のデジタル・シグナル・プロセッサ（ＤＳＰ）に置き換え、
前記第２のチャージポンプと前記第２のループフィルタとを第２のデジタル・シグナル・プロセッサ（ＤＳＰ）に置き換えたことを特徴とする請求項１８に記載のクロック整形回路。
【請求項２０】
入力クロック信号と比較クロック信号との位相を比較し、その比較結果に応じた信号を出力する位相比較部と、
この位相比較部の出力信号を平滑化処理するループフィルタと、
このループフィルタの出力信号に相当する所定電圧を出力する電圧出力回路と、
前記入力クロック信号と前記比較クロック信号に基づき、その位相のロック外れを検出するロック外れ検出回路と、
このロック外れ検出回路の検出に応じて、前記ループフィルタの出力信号または前記電圧出力回路の出力を選択して出力するセレクタと、
前記比較クロック信号を発生するとともに、前記セレクタで選択された出力に応じてその比較クロック信号の周波数を可変できるクロック発生回路と、
を備えたことを特徴とするクロック整形回路。
【請求項２１】
前記クロック発生回路は、電圧制御型ＳＡＷ発振回路からなることを特徴とする請求項２０に記載のクロック整形回路。
【請求項２２】
前記クロック発生回路は、電圧制御型水晶発振回路からなることを特徴とする請求項２０に記載のクロック整形回路。
【請求項２３】
前記位相比較部は、位相比較回路の出力を位相比較部に入力する信号の位相差に対応する直流電圧に変換するチャージポンプを有すること
を特徴とする請求項２０乃至請求項２２のいずれかに記載のクロック整形回路。
【請求項２４】
前記チャージポンプと前記ループフィルタとを、デジタル・シグナル・プロセッサ（ＤＳＰ）に置き換えたことを特徴とする請求項２３に記載のクロック整形回路。
【請求項２５】
前記電圧出力回路は、前記所定電圧が可変自在であって、かつ任意の電圧が設定できるようになっていることを特徴とする請求項２０乃至請求項２４のいずれかに記載のクロック整形回路。
【請求項２６】
前記電圧出力回路の出力電圧は、前記クロック発生回路の発振出力を温度補償するために温度依存性を持たせるようにしたことを特徴とする請求項２０乃至請求項２５のいずれかに記載のクロック整形回路。
【請求項２７】
前記クロック整形回路中のクロック発生回路は、圧電振動子と、発振用差動増幅器および帰還バッファ用差動増幅器と、前記制御電圧に基づいて所定量の位相をシフトする電圧制御移相回路とから構成され、少なくとも前記圧電振動子、発振用差動増幅器、帰還バッファ用差動増幅器および電圧制御移相回路により正帰還発振ループが構成され、前記帰還バッファ用差動増幅器からの出力信号を前記比較クロック信号とすることを特徴とする請求項８乃至請求項２６に記載のクロック整形回路。
【請求項２８】
前記クロック整形回路中のクロック発生回路は、圧電振動子と、発振用増幅器と、前記制御電圧に基づいて所定量の位相をシフトする電圧制御移相回路と、複数の出力用増幅器とを備え、少なくとも前記の圧電振動子、電圧制御移相回路および発振用増幅器とにより正帰還発振ループが構成され、前記発振用増幅器からの出力信号を前記複数の出力用増幅器を介して分岐された出力信号のいずれかを前記比較クロック信号とすることを特徴とする請求項８乃至請求項２６に記載のクロック整形回路。
【請求項２９】
前記クロック整形回路において、
前記帰還バッファ用差動増幅器が備える非反転出力端子および反転出力端子のうち、いずれか一方は前記比較クロック信号を出力する機能として、他方は前記正帰還発振ループ用出力として機能することを特徴とする請求項２７記載のクロック整形回路。
【請求項３０】
前記発振用差動増幅器および前記帰還バッファ用差動増幅器はＥＣＬラインレシーバを用いた差動増幅回路であることを特徴とする請求項２７に記載のクロック整形回路。
【請求項３１】
前記位相比較部は、
外部からの前記入力信号を分周する第１の分周回路と、
前記比較クロック信号を分周する第２の分周回路と、
前記第１の分周回路と前記第２の分周回路との位相を比較する位相比較回路と
を備えることを特徴とする請求項２７または請求項２８のいずれかに記載のクロック整形回路。
【請求項３２】
前記圧電振動子はＳＡＷ共振子であることを特徴とする請求項２７乃至請求項３１のいずれかに記載のクロック整形回路。
【請求項３３】
前記圧電振動子は水晶振動子であることを特徴とする請求項２７乃至請求項３１のいずれかに記載のクロック整形回路。
【請求項３４】
所定のクロック入力しそれを整形したクロックを出力するクロック整形回路を含む電子機器において、
前記クロック整形回路は、請求項１乃至請求項３３のいずれかに記載のクロック整形回路からなることを特徴とする電子機器。